(57)【特許請求の範囲】
【請求項１】
複数の制限要因によって撮影機能に関する動作可能量が制約を受ける電子機器の、前記動作可能量を表す表示を表示部に表示させるものであり、
前記動作可能量の情報を取得する取得部と、
前記複数の制限要因のそれぞれに応じた前記動作可能量を表す表示を前記表示部に表示させる表示制御部と
を備え、
前記電子機器は撮影機能を有すると共に、撮像素子と前記撮像素子の温度を検出する温度センサとを含み、
前記複数の制限要因の１つは、前記撮像素子の温度変化であり、
前記表示制御部は、少なくとも前記撮像素子の温度変化を含む前記複数の制限要因のそれぞれによる前記動作可能量の情報を、前記表示部の所定の領域内において同一の軸上に同時に表示させると共に、複数の前記動作可能量のそれぞれの経時変化に応じて、複数の前記動作可能量のそれぞれの情報表示を同一の軸方向に変化させる
情報処理装置。
【請求項２】
前記表示制御部は、
前記撮像素子の温度変化による制約を受ける第１の動作可能量に応じて、前記第１の動作可能量に基づく第１の表示を、前記表示部の表示領域の所定の位置と前記第１の表示との距離が変化するように表示させ、
前記撮像素子の温度変化とは異なる別の制限要因による第２の動作可能量に応じて、前記第２の動作可能量に基づく第２の表示を、前記所定の位置と前記第２の表示との距離が変化するように表示させる
請求項１に記載の情報処理装置。
【請求項３】
前記表示制御部は、前記第１の表示と前記第２の表示とを、同一の前記所定の位置を通る軸の上で変化させる
請求項２に記載の情報処理装置。
【請求項４】
前記表示制御部は、前記第１の表示と前記第２の表示との距離が所定の範囲にある場合、前記第１の表示または前記第２の表示の少なくとも一方の表示を前記軸から外れた位置に表示させる
請求項３に記載の情報処理装置。
【請求項５】
前記電子機器は動画撮影機能を有し、前記動作可能量は前記電子機器における動画撮影可能時間であり、
前記表示制御部は、前記複数の制限要因のうち、前記動画撮影可能時間が最小となる制限要因に関する情報を強調して表示させる
請求項１ないし４のいずれか１つに記載の情報処理装置。
【請求項６】
前記電子機器は静止画撮影機能を有し、前記動作可能量は前記電子機器における静止画撮影可能枚数であり、
前記表示制御部は、前記複数の制限要因のうち、前記静止画撮影可能枚数が最小となる制限要因に関する情報を強調して表示させる
請求項１ないし４のいずれか１つに記載の情報処理装置。
【請求項７】
前記電子機器において、前記動作可能量は、前記複数の制限要因のそれぞれについて所定の閾値が設定されるものであり、
前記表示制御部は、前記複数の制限要因のそれぞれによる前記動作可能量の少なくとも１つが所定の閾値を下回った場合に、前記電子機器において前記所定の機能による動作が不可能になることを知らせる警告、または前記所定の機能による動作が不可能になることを回避するための対処法の少なくとも一方の情報表示を行わせる
請求項１ないし６のいずれか１つに記載の情報処理装置。
【請求項８】
前記表示制御部は、前記警告または対処法の情報表示と前記動作可能量の情報表示とを同一の領域内で交互に行わせる
請求項７に記載の情報処理装置。
【請求項９】
前記表示制御部は、前記警告または対処法の情報表示を、前記動作可能量の情報表示とは別の領域に表示させる
請求項７に記載の情報処理装置。
【請求項１０】
前記表示制御部は、前記複数の制限要因のうち少なくとも１つの制限要因によって前記電子機器において前記所定の機能による動作が停止した場合に、その動作が停止した理由、およびその動作を再開させるための対処法の情報表示を行わせる
請求項１ないし９のいずれか１つに記載の情報処理装置。
【請求項１１】
前記取得部は、少なくとも、前記撮像素子が動作停止温度に到達するまでの予測時間の情報を取得する
請求項１ないし４のいずれか１つに記載の情報処理装置。
【請求項１２】
前記電子機器は動画撮影機能を有するものであり、
前記動作可能量は前記電子機器における動画撮影可能時間であり、
前記表示制御部は、少なくとも、前記動作停止温度に到達するまでの予測時間を前記動画撮影可能時間として表示させる
請求項１１に記載の情報処理装置。
【請求項１３】
前記電子機器は連写モードでの静止画撮影機能を有するものであり、
前記動作可能量は前記電子機器における連写モードでの静止画撮影可能枚数であり、
前記表示制御部は、少なくとも、前記動作停止温度に到達するまでの予測時間に基づいて算出される、前記動作停止温度に到達するまでに継続可能な連写枚数を前記静止画撮影可能枚数として表示させる
請求項１１に記載の情報処理装置。
【請求項１４】
撮影機能を有し、複数の制限要因によって撮影機能に関する動作可能量が制約を受けるものであり、
撮像素子と、
前記撮像素子の温度を検出する温度センサと、
前記動作可能量を表す表示を行う表示部と、
前記動作可能量の情報を取得する取得部と、
前記複数の制限要因のそれぞれに応じた前記動作可能量を表す表示を前記表示部に表示させる表示制御部と
を備え、
前記複数の制限要因の１つは、前記撮像素子の温度変化であり、
前記表示制御部は、少なくとも前記撮像素子の温度変化を含む前記複数の制限要因のそれぞれによる前記動作可能量の情報を、前記表示部の所定の領域内において同一の軸上に同時に表示させると共に、複数の前記動作可能量のそれぞれの経時変化に応じて、複数の前記動作可能量のそれぞれの情報表示を同一の軸方向に変化させる
電子機器。
【請求項１５】
撮影機能を有すると共に、撮像素子と前記撮像素子の温度を検出する温度センサとを含み、少なくとも前記撮像素子の温度変化を含む複数の制限要因によって撮影機能に関する動作可能量が制約を受ける電子機器の、前記動作可能量を表す表示を表示部に表示させる際に、
前記動作可能量の情報を取得部で取得し、
少なくとも前記撮像素子の温度変化を含む前記複数の制限要因のそれぞれに応じた前記動作可能量の情報を、表示制御部によって前記表示部の所定の領域内において同一の軸上に同時に表示させると共に、複数の前記動作可能量のそれぞれの経時変化に応じて、複数の前記動作可能量のそれぞれの情報表示を同一の軸方向に変化させる
表示制御方法。
【請求項１６】
撮影機能を有すると共に、撮像素子と前記撮像素子の温度を検出する温度センサとを含み、少なくとも前記撮像素子の温度変化を含む複数の制限要因によって撮影機能に関する動作可能量が制約を受ける電子機器の、前記動作可能量を表す表示を表示部に表示させる際に、
前記動作可能量の情報を取得するステップと、
少なくとも前記撮像素子の温度変化を含む前記複数の制限要因のそれぞれに応じた前記動作可能量の情報を、前記表示部の所定の領域内において同一の軸上に同時に表示させると共に、複数の前記動作可能量のそれぞれの経時変化に応じて、複数の前記動作可能量のそれぞれの情報表示を同一の軸方向に変化させるステップと
を含む処理をコンピュータに実行させるための表示制御プログラム。
【発明の詳細な説明】
【技術分野】
【０００１】
本開示は、例えば動画の撮影可能時間や静止画の撮影可能枚数といった撮影機能に関する動作可能量の情報を表示させる情報処理装置および電子機器、ならびに表示制御方法および表示制御プログラムに関する。
【背景技術】
【０００２】
電子機器において、所定の機能での動作を行う場合、その動作可能量（動作可能時間等）は複数の制限要因のそれぞれによって制約を受ける場合がある。例えばデジタルスチルカメラにおいて動画撮影動作を行う場合、その撮影動作の停止は、撮影者による停止操作や各種エラー処理の類のほかに、次の制約によって強制的に行われることが考えられる。例えば、（１）電池残量、（２）記録媒体の残容量、（３）機種固有ないしユーザ設定による時間，サイズの制限、（４）動画フォーマットに規定されるサイズ制限、等の制限要因がある。
【先行技術文献】
【特許文献】
【０００３】
【特許文献１】特開２０１０−２４５７６２号公報
【発明の概要】
【発明が解決しようとする課題】
【０００４】
これらの制限要因はそれぞれ、カメラ内部では定期的に判定が可能である。しかしながら、従来では、複数の制限要因のすべてを網羅する形では撮影者に事前に情報を呈示できていない。そのため、何らかの制限要因によって、撮影者が予期しないタイミングで撮影動作が停止してしまう場合があり、撮影者にとっては撮影機会を著しく逃してまう問題がおきている。「いつまで動画撮影を継続できるのか。何が原因で終了し、どうすれば再開できるのか」といった情報を撮影者に分かりやすく明示する必要がある。上記特許文献１には、ｗｅｂサイトへの動画アップロードを前提とし、ユーザが各種ｗｅｂサイトの制約に合わせたビットレート、ファイルサイズ，フォーマットの設定を行い、それに基づいて計算された上記（３）ないし（４）にあたる残時間情報を、表示デバイス上にバーと数値で明示している。文面にはないが、説明図によると（２）の情報が別個に表示されまた一般的に表示されるであろう（１）電池残量のアイコンないしパーセンテージを表示していたとしても、情報は不完全であり、撮影機会損失を回避できているとは言い難い。また煩雑な個別表記では一見して情報を掴みにくく、さらに撮影画像にかぶせて表示しているため、肝心の画像情報を著しく損なう事にもなり、意図した映像を残せない懸念も発生する。
【０００５】
本開示の目的は、複数の要因による動作可能状態の把握を容易に行うことができるようにした情報処理装置および電子機器、ならびに表示制御方法および表示制御プログラムを提供することにある。
【課題を解決するための手段】
【０００６】
本開示による情報処理装置は、複数の制限要因によって撮影機能に関する動作可能量が制約を受ける電子機器の、動作可能量を表す表示を表示部に表示させるものであり、動作可能量の情報を取得する取得部と、複数の制限要因のそれぞれに応じた動作可能量を表す表示を表示部に表示させる表示制御部とを備えたものである。
電子機器は撮影機能を有すると共に、撮像素子と撮像素子の温度を検出する温度センサとを含み、複数の制限要因の１つは、撮像素子の温度変化である。
表示制御部は、少なくとも撮像素子の温度変化を含む複数の制限要因のそれぞれによる動作可能量の情報を、表示部の所定の領域内において同一の軸上に同時に表示させると共に、複数の動作可能量のそれぞれの経時変化に応じて、複数の動作可能量のそれぞれの情報表示を同一の軸方向に変化させる。
【０００７】
本開示による電子機器は、撮影機能を有し、複数の制限要因によって撮影機能に関する動作可能量が制約を受けるものである。本開示による電子機器は、撮像素子と、撮像素子の温度を検出する温度センサと、動作可能量を表す表示を行う表示部と、動作可能量の情報を取得する取得部と、複数の制限要因のそれぞれに応じた動作可能量を表す表示を表示部に表示させる表示制御部とを備える。
複数の制限要因の１つは、撮像素子の温度変化であり、表示制御部は、少なくとも撮像素子の温度変化を含む複数の制限要因のそれぞれによる動作可能量の情報を、表示部の所定の領域内において同一の軸上に同時に表示させると共に、複数の動作可能量のそれぞれの経時変化に応じて、複数の動作可能量のそれぞれの情報表示を同一の軸方向に変化させる。
【０００８】
本開示による表示制御方法は、撮影機能を有すると共に、撮像素子と撮像素子の温度を検出する温度センサとを含み、少なくとも撮像素子の温度変化を含む複数の制限要因によって撮影機能に関する動作可能量が制約を受ける電子機器の、動作可能量を表す表示を表示部に表示させる際に、動作可能量の情報を取得部で取得し、少なくとも撮像素子の温度変化を含む複数の制限要因のそれぞれに応じた動作可能量の情報を、表示制御部によって表示部の所定の領域内において同一の軸上に同時に表示させると共に、複数の動作可能量のそれぞれの経時変化に応じて、複数の動作可能量のそれぞれの情報表示を同一の軸方向に変化させるようにしたものである。
【０００９】
本開示による表示制御プログラムは、撮影機能を有すると共に、撮像素子と撮像素子の温度を検出する温度センサとを含み、少なくとも撮像素子の温度変化を含む複数の制限要因によって撮影機能に関する動作可能量が制約を受ける電子機器の、動作可能量を表す表示を表示部に表示させる際に、動作可能量の情報を取得するステップと、少なくとも撮像素子の温度変化を含む複数の制限要因のそれぞれに応じた動作可能量の情報を、表示部の所定の領域内において同一の軸上に同時に表示させると共に、複数の動作可能量のそれぞれの経時変化に応じて、複数の動作可能量のそれぞれの情報表示を同一の軸方向に変化させるステップとを含む処理をコンピュータに実行させるようにしたものである。
【００１０】
本開示の情報処理装置もしくは電子機器、または表示制御方法もしくは表示制御プログラムでは、複数の制限要因のそれぞれによる動作可能量の情報を、それぞれ同一の表現方法で表示部に表示させる。
【発明の効果】
【００１１】
本開示の情報処理装置もしくは電子機器、または表示制御方法もしくは表示制御プログラムによれば、複数の制限要因のそれぞれによる動作可能量の情報を、それぞれ同一の表現方法で表示部に表示させるようにしたので、複数の要因による動作可能状態の把握を容易に行うことができる。
【図面の簡単な説明】
【００１２】
【図１】本開示の一実施の形態に係る電子機器としてのデジタルスチルカメラの全体構成の一例を示すブロック図である。
【図２】動画撮影可能時間の算出および表示動作の制御の一例を示す流れ図である。
【図３】撮像素子の温度変化量データテーブルの一例を示す説明図である。
【図４】表示部への動画撮影可能時間の表示例を示す説明図である。
【図５】複数の制限が警告対象となった場合の表示例を示す説明図である。
【図６】警告文と対処指示文の例を示す説明図である。
【図７】警告文の表示方法の他の例を示す説明図である。
【図８】動画撮影可能時間表示の変化（残時間バーの変化）の第１の例を示す説明図である。
【図９】異なる要因による動画撮影可能時間が拮抗する場合の表示例を示す説明図図である。
【図１０】動画撮影可能時間表示の変化（残時間バーの変化）の第２の例を示す説明図である。
【図１１】動画撮影停止判定処理の一例を示す流れ図である。
【図１２】静止画撮影可能枚数の算出および表示動作の制御の一例を示す流れ図である。
【図１３】表示部への静止画撮影可能枚数の表示例を示す説明図である。
【図１４】静止撮影可能枚数表示の変化（残枚数バーの変化）の一例を示す説明図である。
【図１５】静止画高速連続撮影モードでの表示例を示す説明図である。
【図１６】表示部への動画撮影可能時間の表示例の第１の変形例を示す説明図である。
【図１７】表示部への動画撮影可能時間の表示例の第２の変形例を示す説明図である。
【図１８】本開示の一実施の形態に係る情報処理装置の基本構成の一例を示すブロック図である。
【発明を実施するための形態】
【００１３】
以下、本開示の実施の形態について図面を参照して詳細に説明する。
【００１４】
＜情報処理装置の基本構成例＞
図１８は、本開示の一実施の形態に係る情報処理装置の基本構成の一例を示している。この情報処理装置は、複数の制限要因によって所定の機能の動作可能量が制約を受ける電子機器の、動作可能量を表す表示を表示部１３に表示させるものである。この情報処理装置は、動作可能量の情報を取得する取得部１１と、複数の制限要因のそれぞれに応じた動作可能量を表す表示を、それぞれ同一の表現方法で表示部１３に表示させる表示制御部１２とを備えている。
【００１５】
以下、この情報処理装置が適用される電子機器の一例としてデジタルスチルカメラを例に説明する。以下の例では、電子機器としてのデジタルスチルカメラ内に情報処理装置の機能を実行するための表示制御プログラムが組み込まれている場合を例に説明する。
【００１６】
＜デジタルスチルカメラの全体構成例＞
図１は、本開示の一実施の形態に係る電子機器としてのデジタルスチルカメラ１００の一構成例を示している。このデジタルスチルカメラ１００は、光学部１０１と、撮像部１０２と、信号処理部１０３と、制御部１０４と、表示部１０５と、スピーカ１０６と、マイク１０７と、汎用メモリ１０８と、電源部１０９と、操作スイッチ部１１０と、外部記憶媒体１１１と、データバス１１２とを備えている。
【００１７】
光学部１０１は、レンズ群１０１ａと絞り１０１ｂとを有している。撮像部１０２は、撮像素子１０２ａと温度センサ１０２ｂとを有している。信号処理部１０３は、映像処理部１０３ａと、音声処理部１０３ｂと、表示Ｉ／Ｆ（インタフェース）部１０３ｃと、圧縮伸張部１０３ｄと、外部媒体Ｉ／Ｆ１０３ｅとを有している。制御部１０４は、残数比較部１０４ａと、予測算出部１０４ｂと、設定記憶部１０４ｃと、グラフィック制御部１０４ｄとを有している。操作スイッチ部１１０は、録画ボタン１１０ａと、電源ボタン１１０ｂと、再生ボタン１１０ｃと、レリーズボタン１１０ｄと、モードダイヤル１１０ｅとを有している。
【００１８】
このデジタルスチルカメラ１００は、動画撮影を行う動作モードと静止画撮影を行う動作モードとを有し、使用者が動画の撮影を行うのか、静止画の撮影を行うのかを選択可能となっている。例えば、録画ボタン１１０ａが押下された場合には、動画撮影（記録）が開始され、レリーズボタン１１０ｄが押下された場合には、静止画撮影（記録）が開始されるようになっている。また、モードダイヤル１１０ｅの操作によって、それぞれの動作モード内でさらに、各種のモードを選択可能となっている。動画撮影を行う動作モードでは例えば、後述するように、「ＨＤモード」、「ＳＤモード」等の「動画画質モード」を選択可能となっている。また、静止画撮影を行う動作モードでは例えば、後述するように、「低速連続撮影」、「高速連続撮影」等の「静止画撮影モード」を選択可能となっている。
【００１９】
制御部１０４は、このデジタルスチルカメラ１００内の各部の動作制御を行うほか、各動作モードに応じた表示部１０５への情報表示制御を行うようになっている。例えば、制御部１０４は、動画撮影を行う動作モードでは、動画撮影可能時間の算出を行うとともに、その算出された動画撮影可能時間に応じた情報を表示部１０５に表示する制御を行うようになっている。また、静止画撮影を行う動作モードでは、静止画撮影可能枚数の算出を行うとともに、その算出された静止画撮影可能枚数に応じた情報を表示部１０５に表示する制御を行うようになっている。
【００２０】
表示部１０５は、液晶ディスプレイや有機ＥＬ（Electro-Luminescence）ディスプレイ等で構成され、カラー表示が可能となっている。表示部１０５には、動画または静止画の撮影中の映像や、外部記憶媒体１１１に記録された撮影済みの映像が表示されるようになっている。表示部１０５にはまた、後述する図４や図１３に示すように、撮影映像と共に、動作可能量（動画撮影可能時間や静止画撮影可能枚数）の情報等の各種の情報表示が行われるようになっている。
【００２１】
＜動画撮影・記録動作＞
上述したように、動画撮影を行う場合、動作の制限要因としては、（１）電池残量、（２）記録媒体の残容量、（３）機種固有ないしユーザ設定による時間，サイズの制限、（４）動画フォーマットに規定されるサイズ制限、がある。そのほかにも、（５）撮像素子１０２ａの温度上昇に伴う画質劣化に対する歯止めがある。カメラの小型化、撮像素子１０２ａの高画素高レート化に伴い、昨今は特に（５）の制約が無視できない状況である。極端な事例を挙げると、２０分撮影できる電池、メディアを準備し撮影に臨んでも、夏場の日中、高温環境下では、ものの２分で停止温度となり強制停止し、また撮像素子１０２ａが冷めるまで数十分にわたり電源を切ることになり、撮影機会を著しく逃してまう問題がおきている。この（５）の例に限らず「いつまで動画撮影を継続できるのか（動画撮影可能時間）。何が原因で終了し、どうすれば再開できるのか」といった情報を撮影者に一元的に分かりやすく明示する必要がある。静止画についても撮影可能枚数を制約する要因は複数存在し、使用者が各要因の情報を別個に確認し、実質あと何枚撮り続けられるのかを総合的に判断する必要がある。いかではまず、「動画撮影可能時間」について説明するが、その説明に先立って、画・音情報（画像情報および音声情報）が動画記録されるまでの処理の流れを説明する。
【００２２】
［動画撮影・記録の基本動作］
外部記憶媒体１１１を装着し、電源部１０９に所定の電池ないし外部電源からの電力供給がなされ、電源ボタン１１０ｂを押下することで、デジタルスチルカメラ１００は所定の起動処理を経て静止画および動画の撮影待機状態となる。レンズ群１０１ａや絞り１０１ｂからなる光学部１０１が制御部１０４による光学制御の指定を受けて映像を光学的に処理し、撮像素子１０２ａへ映像を届ける。
【００２３】
撮像素子１０２ａは、制御部１０４により撮影待機時のスルー画表示用に設定されたフレームレート、および画素間引きの状態に指定され、光電変換およびＡＤ変換し、信号処理部１０３へ映像情報を送る。映像処理部１０３ａは、撮像部１０２からの映像デジタル信号を制御部１０４により指定された各種補正の処理を施し、表示Ｉ／Ｆ部１０３ｃおよび圧縮伸張部１０３ｄへ送る。表示Ｉ／Ｆ部１０３ｃは、制御部１０４の指定によるγ補正、またグラフィック制御部１０４ｄからの指示によってアイコン等のグラフィック情報を付加され、表示部１０５に適した通信データに変換し、表示部１０５へ送る。表示部１０５にて映像が表示される。
【００２４】
「動画画質モード」として動画記録時の、解像度およびフレーム形式による、いくつかの画質のバリエーションを、使用者が任意に選択できるように用意されており、現在の選択モードが何であるかは設定記憶部１０４ｃに格納されている。後述する実施例においては、ＨＤモード（ＡＶＣＨＤ  １９２０ｘ１０８０ｉ）およびＳＤモード（ＭＰ４  ＶＧＡ）の２種を選択できることとする。
【００２５】
撮像素子１０２ａが処理し映像処理部１０３ａへ渡す映像データ量は、撮像素子１０２ａの節電のため、各動画画質モードでの動画撮影中、また撮影待機状態で必要な画質を得るだけのフレームレートおよび画素間引きの設定により抑えられている。後述する実施例においては、撮像素子１０２ａが単位時間に処理するデータ量、それに伴う消費電力および自己発熱量はいずれも、
「ＨＤモードで動画撮影中」＞「ＳＤモードで動画撮影中」＞「撮影待機中」
であるとする。
【００２６】
また後述する実施例においては、動画ファイルを扱う際のファイルシステムとしてＦＡＴ１６方式を採用しており、ＳＤモードでは動画ファイルのサイズが２ＧＢに達すると撮影を終了し、ＨＤモードでは制約サイズ毎にファイルを分けて動画撮影を継続可能であるとする。両モードともそのビットレートは画像の絵柄や変化によって可変であるＶＢＲ（Variable Bitrate）方式であるものとする。
【００２７】
使用者が動画記録を開始するべく、録画ボタン１１０ａを押下した場合、上述一連の映像処理において、撮像素子１０２ａに設定されるフレームレートおよび画素間引きは、制御部１０４により指定される使用者に選択されている動画画質モードに即した状態となり、映像情報は所定の処理を経て圧縮伸張部１０３ｄに至る。また音声処理部１０３ｂは、マイク１０７からのアナログ音声信号を、制御部１０４の指定に沿ってＡＤ変換、定位補正や音量調整、ノイズ低減の処理等を施し、圧縮伸張部１０３ｄへ送る。圧縮伸張部１０３ｄは、映像処理部１０３ａ、音声処理部１０３ｂから送られてきた画・音デジタル信号を、制御部１０４指定の使用者に選択されている動画画質モードに即したファイルフォーマットへの変換を行い、外部媒体Ｉ／Ｆ１０３ｅに送る。外部媒体Ｉ／Ｆ１０３ｅでは、外部記憶媒体１１１との通信を行い、媒体の種別や通信形式、残容量情報等を入手し、制御部１０４の判定に沿って、外部記憶媒体１１１へ動画ファイルの書き込みを行う。
【００２８】
これら信号処理部１０３内での一連の処理において、一時的に汎用メモリ１０８とのデータ受け渡しを活用し、処理を円滑かつ確実にデータ欠落の無いように進めている。また、撮像素子１０２ａ近傍に設置された温度センサ１０２ｂの出力により、撮像素子１０２ａの温度情報は制御部１０４にて定期的に確認されている。
【００２９】
［動画撮影可能時間の算出および表示の制御動作例］
続いて制御動作の実施例を説明する。図２に動画撮影可能時間の算出および表示の制御フローを示す。
【００３０】
デジタルスチルカメラ１００が「撮影待機」状態に遷移すると本制御は開始し、ステップＳ１において制御部１０４内部の動作クロックに基づいた所定のタイミング毎に、またステップＳ２において動作状態が「撮影待機」ないし「動画撮影中」であると制御部１０４が判断した場合に、以降の動画撮影可能時間の算出および表示を行う。
【００３１】
例えば使用者による操作によって、あるいは電池切れ等によって、「撮影待機」または「動画撮影中」どちらでもない状態だった場合（ステップＳ２：Ｎ）、動画撮影可能時間のグラフィック表示を消し、動画撮影可能時間の算出および表示の制御をとめる（ステップＳ３）。「撮影待機」または「動画撮影中」のいずれかであった場合（ステップＳ２：Ｙ）、ステップＳ４に進む。
【００３２】
以降、本動作例で扱う数値は、使用者が操作スイッチ部１１０内、録画ボタン１１０ａを押下し、動画記録開始され１０分経過時点を想定して記載する。ステップＳ４において、残数比較部１０４ａは、設定記憶部１０４ｃから、機種固有ないしユーザの設定による、動画ファイルサイズないし記録時間の制限値を読み出し、［ｍａｘ値］として設定する。本例では、機種固有の制限値として２５分という値が設定されたとする。時間ではなくファイルサイズによる規定の場合には、使用者に選択されている動画画質モードに基づいたビットレートの値にて除算し、算出した値を［ｍａｘ値］とする。また残数比較部１０４ａは、［現在値］として、撮影待機中は０、動画撮影中はその撮影経過時間を設定する。本例では前述のとおり１０分とする。
【００３３】
残数比較部１０４ａは、予測算出部１０４ｂにより算出された以下の五つの制限観点による動画撮影可能時間を、［時間１］〜［時間５］として管理する。
【００３４】
（制限１）
図２のステップＳ５において、予測算出部１０４ｂは、電源部１０９自身が持つパラメータ値、または電源部１０９の出力電圧値等から制御部１０４が算出した結果として、電池残容量情報を入手し、設定記憶部１０４ｃより読み出した動画撮影時のカメラ全体の消費電力情報との除算を行い、結果を残数比較部１０４ａに渡し、電池残量観点での動画撮影可能時間［時間１］として設定する。本例では５５分とする。残数比較部１０４ａは（制限１）用の警告開始の閾値である［警告値１］を設定記憶部１０４ｃより読み出し、［警告値１］より［時間１］が短かった場合に、（制限１）を警告対象に設定する。
【００３５】
（制限２）
ステップＳ６において、予測算出部１０４ｂは、外部媒体Ｉ／Ｆ１０３ｆを介した外部記憶媒体１１１との通信にて入手している外部記憶媒体１１１の使用可能容量を、設定記憶部１０４ｃより読み出した使用者に選択されている動画画質モードに基づいたビットレートの値にて除算する。結果を残数比較部１０４ａに渡し、記憶媒体容量観点での動画撮影可能時間［時間２］として設定する。本例では４８分とする。残数比較部１０４ａは（制限２）用の警告開始の閾値である［警告値２］を設定記憶部１０４ｃより読み出し、［警告値２］より［時間２］が短かった場合に、（制限２）を警告対象に設定する。
【００３６】
（制限３）
ステップＳ７において、残数比較部１０４ａは、［Ｍａｘ値］から［現在値］を減算し、結果を機種固有時間観点の動画撮影可能時間［時間３］として設定する。本例では［ｍａｘ値］２５分から、［現在値］１０分を減算した、１５分となる。残数比較部１０４ａは（制限３）用の警告開始の閾値である［警告値３］を設定記憶部１０４ｃより読み出し、［警告値３］より［時間３］が短かった場合に、（制限３）を警告対象に設定する。
【００３７】
（制限４）
ステップＳ８において、制御部１０４は設定記憶部１０４ｃから記録中の動画画質モードを読み出し、その動画画質モードが「ファイルサイズの制約がある」ものであった場合（ステップＳ８：Ｙ）に、ステップＳ９において、予測算出部１０４ｂは、設定記憶部１０４ｃより選択されている動画画質モードに該当する「ファイルサイズ制限値」を読み出し、現時点のファイルサイズを減算し、残サイズを算出する。さらに予測算出部１０４ｂは、設定記憶部１０４ｃより動画画質モードに基づいたビットレートの値を読み出し、前述の残サイズを除算し、その結果を残数比較部１０４ａに渡し、記録中動画画質モードに規定されるサイズ観点での動画撮影可能時間［時間４］として設定する。本例ではＳＤモードを選択されており２ＧＢの制限がかかり、１０分経過時点での算出結果が１０分であったとする。
また、ステップＳ８において、「選択中の動画画質モードがサイズ制限を持たない」と制御部１０４により判断された場合（ステップＳ８：Ｎ）には、ステップＳ１０において［時間４］が「該当制限なし」とする処理を行うことになる。後述のステップＳ１４において、表示部１０５への情報表示条件を「［Ｍａｘ値］以下であること」としており［時間４］を［Ｍａｘ値］より大きな値を設定してもよい。残数比較部１０４ａは（制限４）用の警告開始の閾値である［警告値４］を設定記憶部１０４ｃより読み出し、［警告値４］より［時間４］が短かった場合に、（制限４）を警告対象に設定する。
なお、ビットレート固定（CBR-constant bitrate）の記録形式の場合には、この［時間４］は撮影開始前に一意に確定する値であるため、ステップＳ４にて、固有値ないしユーザ設定値と、この値を比較し短時間の方を［ｍａｘ値］に設定することで、処理、表示の簡略化が行える。
【００３８】
（制限５）
ステップＳ１１において、予測算出部１０４ｂは、温度センサ１０２ｂから撮像素子１０２ａ近傍の温度情報を入手し、その変化経緯から撮像素子１０２ａの動作停止温度に到達するまでの時間を予測算出し［時間５］として設定する。本例では８分とする。算出手法としては、単純に前回の測定温度との変化を直線近似して、動作停止温度までの到達予測時間を算出してもよい。または図３に示す温度変化量テーブルデータを設定記憶部１０４ｃ内に持った上で、撮像素子１０２ａ近傍温度の時間変化量から予測、あるいは外気温度を測定するための温度センサーを別個に持ち、外気温度と撮像素子１０２ａとの温度差から予測、といった手法が考えられる。
残数比較部１０４ａは（制限５）用の警告開始の閾値である［警告値５］を設定記憶部１０４ｃより読み出し、［警告値５］より［時間５］が短かった場合に、（制限５）を警告対象に設定する。
【００３９】
なお、図３において、縦軸のΔｔは、撮像素子１０２ａの温度変化量（外気温度に対する相対的な温度）であり、外気と等温度である場合を０℃としている。図３では、「ＨＤモード」撮影時、「ＳＤモード」、後述の静止画撮影における「高速連続撮影モード」撮影時、「撮影待機」時での温度変化特性をグラフで示している。横軸は撮影動作または撮影待機状態を開始してからの経過時間を示す。図３の下部に示した温度変化量テーブルデータ群３０１は、「ＨＤモード」等のそれぞれのモードでの温度変化量テーブルデータであるが、図３では「ＨＤモード」撮影時の温度変化量テーブルデータを代表して図示している。図３に示した温度変化量テーブルデータは、１０秒ごとの撮像素子１０２ａの温度変化量を示している。例えば２０秒の時点から１０秒経過後の３０秒時点における温度変化量は、３．８℃である。なお、「撮影待機」時では外部記憶媒体１１１への画像の記録は行わないものの、撮影動作は行っている（例えば撮影映像を記録せずに表示部１０５にスルー表示させている）ため、撮像素子１０２ａは動作しており、温度上昇する。
【００４０】
続いて、使用者に対して動画撮影可能時間の表示部１０５への表示例である図４の表示プロセスについて説明する。
【００４１】
なお、図４において、画面上部の既存表記群４０４は、従来技術による各種の情報表示の例であり、例えば記憶媒体残容量アイコン４１２や電池残容量アイコン４１３が表示されている。記憶媒体残容量アイコン４１２の横には記憶媒体の残容量の観点による動画撮影可能時間が数値表示されている。電池残容量アイコン４１３の横には電池残容量が％表示されている。このように、既存表記群４０４では、複数の要因を複合した形での動画撮影可能時間の表示はなされていない。これに対して、画面下部のグラフィックエリア４００、実質残時間表示エリア４０１、［ｍａｘ値］表示エリア４０３、［現在値］表示エリア４０５等における情報表示が、動画撮影可能時間の情報表示に関する、本開示の技術による特徴的な部分である。
【００４２】
図２のステップＳ１２において、グラフィック制御部１０４ｄは、残数比較部１０４ａによって選択された［時間１］〜［時間５］の最小時間を受け取り、表示Ｉ／Ｆ部１０３ｃを介し、表示部１０５上、図４の実質残時間表示エリア４０１に示すように、映像情報に重ねて時間表示する。本例では最短時間の［時間５］８分が相当する。
【００４３】
ステップＳ１３において、グラフィック制御部１０４ｄは、残数比較部１０４ａから［ｍａｘ値］を受け取り、表示Ｉ／Ｆ部１０３ｃを介して、表示部１０５上、図４に示す“残時間バー”４０２の右端、［ｍａｘ値］表示エリア４０３のように映像情報に重ねて表示する。本例では２５分となる。
【００４４】
ステップＳ１４において、グラフィック制御部１０４ｄは、残数比較部１０４ａにより［時間１］〜［時間５］のうち「［ｍａｘ値］以下である」と判断されたものについて、表示Ｉ／Ｆ部１０３ｃを介し、表示部１０５上、図４の残時間バー４０２該当エリアの左端を０分、右端を［ｍａｘ値］とした相対位置へ、各制限条件を表すアイコンを表示する。図４の例では、左側から順に、［時間５］アイコン４０６，［時間４］アイコン４０７，および［時間３］アイコン４０８が配置されるように表示している。図４の例では、［時間１］、［時間２］のアイコンは［ｍａｘ値］以上のため表示されない。
【００４５】
各アイコンはその視認性を考慮し、数値上は重なりあう配置関係であったとしても、より短時間を示す左側アイコンを基準とし、重ならないように順に右にずらして表示する。最短時間を表すアイコンは、他アイコンよりも一回り大きく表示したり、アイコン周囲を枠で囲んだり、色を変えるなどで強調してもよい。
【００４６】
ステップＳ１５において、グラフィック制御部１０４ｄは、左端から最短のアイコンまでを［第１エリア］とし、表示Ｉ／Ｆ部１０３ｃを介して、表示部１０５上、［第１エリア］４０９（図４参照）のように視認しやすい色にてアクセントをつけバー表示する。例えば左端から［時間５］までの領域を濃い青色のバーで表示する（図４の例では黒色のバー表示としている）。このエリアが、現時点で予測される実質の動画撮影可能時間となり、使用者がバー内で最も注視すべきエリアである。
【００４７】
ステップＳ１６において、グラフィック制御部１０４ｄは［第１エリア］に続く領域を［第２エリア］として、左端より最短のアイコンを基点とし、［時間３］のアイコンまでを、表示Ｉ／Ｆ部１０３ｃを介して、表示部１０５上、［第２エリア］４１０（図４参照）のように、例えばモノクロではない淡い色にてバー表示する（ただし図４の例では濃い網点模様のバー表示としている）。該当エリアのアイコンはバー上に上書きする。例えば、［時間５］のアイコン４０６から［時間４］のアイコン４０７を経て［時間３］のアイコン４０８までの領域を、スカイブルーのバーで表示する。このエリアは撮影状況によって変化するエリアであり色つきの表示にすると良い。電池残量がわずかな時に外部電源に切り変えたり、外部から冷却措置を取る等の対応、あるいはたまたま被写体が動きの無い絵柄に変化し、ビットレートが設定記憶部１０４ｃに用意されている算出用の値よりも低くなった場合などに、動画撮影可能時間を延長できる領域である。
【００４８】
ステップＳ１７において、グラフィック制御部１０４ｄは［時間３］以降、右端までの領域を［第３エリア］とし、表示Ｉ／Ｆ部１０３ｃを介して、表示部１０５上、図４の［第３エリア］４１１のように、グレーのバーにて表示する。該当エリアのアイコンはバー上に上書きする。本例では［時間３］以降［ｍａｘ値］までに［時間１］、［時間２］は存在しない時間設定としたため、［第３エリア］内にはアイコンは存在しない。このエリアは、機種固有、または使用者に設定された絶対値として制限された領域のため、延命措置は図れない。［ｍａｘ値］に対しての［第１エリア］、［第２エリア］または各アイコンの時間配分が一見して判断しやすいように、この［第３エリア］は例えば色の無いグレー状で表示すると良い。
【００４９】
ステップＳ１８において、残数比較部１０４ａは、設定記憶部１０４ｃより（制限１）〜（制限５）のうち警告対象になっているものをピックアップし、グラフィック制御部１０４ｄへ伝える。
グラフィック制御部１０４ｄは図５（Ａ）〜（Ｄ）に示すように一定時間毎に、表示Ｉ／Ｆ部１０３ｃを介して、表示部１０５上、図４の［残時間バー］４０２の部位の表示を、［残時間バー］および警告対象の［警告文］（または警告に対する［対処指示文］）を切り替えて表示する。同一エリアに表示することにより撮影中画像への干渉を最小限にとどめたまま、表示が切り替わることで強調されるため、使用者に対して効果的に注意を促す表示としている。図５（Ａ）〜（Ｄ）の例では（制限１）（［時間１］）〜（制限５）（［時間５］）の順で、一定時間で切り替えとしているが、各制限の残り時間によって重みをつけて表示する順番や時間を調整してもよい。図５（Ａ）〜（Ｄ）は、［時間２］（図５（Ｂ））、［時間３］（図５（Ｃ））、および［時間５］（図５（Ｄ））が警告時間となり、２秒毎に表示を切り替えた場合の例を示している。図５（Ａ）では［残時間バー］内に、警告対象に対応する［時間２］アイコン４１４、［時間３］アイコン４０８、および［時間５］アイコン４０６が並列的に配置されている。
【００５０】
なお、図５（Ｂ）〜（Ｄ）の例では、［警告文］と［対処指示文］とを明確に区別せず混在させて表示になっているが、［警告文］と［対処指示文］とを明確に区別して表示しても良い。図６（Ａ）〜（Ｄ）はそれぞれ、（制限１）（［時間１］）〜（制限５）（［時間５］）［時間１］に関する［警告文］および［対処指示文］の例を示している。各制限について、［警告文］と［対処指示文］とを同時に表示しても良いし、［警告文］と［対処指示文］とを交互に表示しても良い。また、［警告文］と［対処指示文］のどちらか一方のみを表示しても良い。
【００５１】
図７は、警告文（または［対処指示文］）の表示方法の他の例を示している。
図７では、画面の中央部に［警告文］７０１を表示している。残時間バー４０２とは別個に表示していることで、撮影映像との干渉よりも撮影者の注意を惹くことに重きを置く表示となっている。この場合、一定時間で［警告文］と［対処指示文］とを交互に表示するようにしても良い。また、［警告文］と［対処指示文］とを同時に表示する場合は例えば、表示枠を広げて２行で表示するようにしても良い（表示枠をわけない）。数回、中央で表示した後、残時間バー４０２の表示部位にて残時間バー４０２との交互表示に切り替えるようにしても良い。
【００５２】
［残時間バーの経時変化の第１の例］
続いて、残時間バーの経時変化例について説明する。
前述のとおり、図２に示すフローによる一連の動画撮影可能時間の表示は、ステップＳ２において、制御部１０４が「撮影待機状態」ないし「動画撮影中」であると判断している限り、ステップＳ１に於ける、内部の動作クロックに基づいた所定のタイミング毎に更新される。
【００５３】
図８（Ａ）〜（Ｄ）では、ここまで説明してきた「動画記録（録画）開始後１０分経過時点」（図８（Ａ））および、それ以降の「録画開始後１５分」（図８（Ｂ））、「録画開始後１７分」（図８（Ｃ））、「１７分で撮影停止してから５分後」（図８（Ｂ））それぞれの残時間バーの変化の一例を示している。以下に各タイミングでの［時間１］〜［時間５］の状態を説明する。
【００５４】
「１５分経過時点」（図８（Ｂ））
［時間１］電池残量は誤差なく換算され５０：００に順調推移。［ｍａｘ値］以上のため表示されない。
［時間２］被写体に動きがなく、パラメータ記憶部によるビットレート以下となり、３０秒の延命され、４３：３０。［ｍａｘ値］以上のため表示されない。
［時間３］機械的なカウントダウン。１０：００の位置にアイコンが表示される。
［時間４］時間２同様に３０秒の延命により５：３０の位置にアイコンが表示される。
［時間５］日陰に入り外気が下がることにより温度上昇がゆるやかに。計算の結果３秒の延命に。３：０３の位置にアイコンが表示される。
【００５５】
「１７分経過時点」（図８（Ｃ））
［時間１］電池残量は誤差なく換算され４８：００に順調推移。［ｍａｘ値］以上のため表示されない。
［時間２］その後、標準的なビットレートで撮影され、３０秒の延命をキープした状態。４１：３０。［ｍａｘ値］以上のため表示されない。
［時間３］機械的なカウントダウン。８：００の位置にアイコンが表示される。
［時間４］時間２同様に３０秒の延命キープされた３：３０の位置にアイコンが表示される。
［時間５］いよいよアクティブな延命を図るべく冷却スプレーによりカメラの冷却を行った。計算の結果１０秒の延命に。１：１０の位置にアイコンが表示される。
また、このタイミングで残数比較部１０４ａは［時間５］のみが［警告時間５］を下回ったと判断し図２ステップ１８において、グラフィック制御部１０４ｄへ伝える。グラフィック制御部１０４ｄは、表示Ｉ／Ｆ部１０３ｃを介して、表示部１０５上、図４の［残時間バー］４０２の部位の表示を、残時間バーと、警告文５０３ｂとが一定時間毎に交互に表示されるよう制御する。
【００５６】
「１７分経過時に撮影終了し、５分経過時点」（図８（Ｄ））
［時間１］ライブビュー状態では消費電力が低く、換算の結果４５：００に推移。［ｍａｘ値］以上のため表示されない。
［時間２］撮影終了時から外部記憶媒体１１１の残容量は変わらず、動画モードも変更されていないためビットレートもかわらず、４１：３０となる。［ｍａｘ値］以上のためアイコンの表示はされない。
［時間３］撮影停止し図２のステップＳ４により［現在値］が０設定され、ステップＳ７により２５：００となり、ステップＳ１４にて２５：００の位置にアイコンを表示される。
［時間４］撮影待機状態のためファイルサイズ０にリセット。動画モードを変更しておらず、フォーマット規定サイズおよびビットレートかわらず、換算結果により２０：００の位置にアイコンを表示される。
［時間５］撮像素子１０１ａは、ライブビュー状態のフレームレートでの動作のため、図３のように動画撮影時よりはゆるやかな温度上昇となり、じわじわと停止温度に向かって上昇を続けている。ステップＳ１１の計算結果より、ステップＳ１４にて０：４０の位置にアイコンを表示される。なお、（制限５）に対する警告文表示は持続している。
【００５７】
［残時間バーにおいてアイコン表示が干渉（拮抗）する場合の表示例］
図９（Ａ）は、［時間５］が環境温度の変化や計算誤差等で［時間４］を前後するような変化が起きている表示状態を示している。この場合、アイコンの入れ替わり頻発による目障り感、アイコンサイズ自体が１分相当の幅を持つため、見た目と実時間差に乖離がある、という問題が生ずる。この場合、図２のステップＳ１における一定時間の待ち時間を調整する。１，２秒もあれば更新毎にアイコン表示が入れ替わってもちらつきとしては問題なく、逆に拮抗している感が伝わる。
【００５８】
差が３０秒以内の場合、図９（Ｂ）のように２段表示に切り替えるようにしても良い。一度２段表示になったらば、差が１分以上開くまでは２段のままとするようヒステリシスを持たせても良い。２段表示開始時に残時間が多い方を上段に設定する。以降は差が１分以上開いて１段表示に戻るまで、上下関係を変更しない。この表示法においても、アイコンではなくバー左の残時間表示のちらつきを考慮し、更新タイミングを設定する必要がある。
【００５９】
以上の図８（Ａ）〜（Ｄ）の例のように、表示制御部としてのグラフィック制御部１０４ｄは、所定の領域内で複数の制限要因のそれぞれによる動作可能量の情報を一元的に表示させる。そして、それぞれ制限要因の異なる複数の動作可能量のうち第１の動作可能量（例えば動画撮影可能時間の［時間５］）に応じて、第１の動作可能量に基づく第１の表示（例えば［時間５］アイコン４０６）を、表示部１０５の表示領域の所定の位置（例えば残時間バー４０２の右端または左端）と第１の表示との距離が変化するように表示させる。また、複数の動作可能量のうち第２の動作可能量（例えば動画撮影可能時間の［時間４］）に応じて、第２の動作可能量に基づく第２の表示（例えば［時間４］アイコン４０７）を、所定の位置と第２の表示との距離が変化するように表示させる。そして、第１の表示と第２の表示とを、同一の所定の位置を通る軸の上で変化させる。
【００６０】
また、グラフィック制御部１０４ｄは、第１の表示と第２の表示との距離が所定の範囲にある場合、第１の表示または第２の表示の少なくとも一方の表示態様を変化させる。具体的には上述の図９（Ｂ）の例のように、第１の表示と第２の表示との距離が所定の範囲にある場合、第１の表示または第２の表示の少なくとも一方の表示を軸から外れた位置に表示させる。
【００６１】
［残時間バーの経時変化の第２の例］
図１０に残時間バーの表示方法および、経時変化の別の例を示す。
制限アイコンの位置は固定であり、現在の記録時間を示す［現在値マーカ］８０１が記録時間と共に左から右へ移動していき、左端から［現在値マーカ］８０１までのエリアのバーはグレーアウトしていく、という表示例である。図８の実施例は制限が迫ってくる表示であり、図１０は制限へ向かっていく形の表示である。
【００６２】
［制限に達した際の停止処理の例］
続いて、（制限１）〜（制限５）それぞれの制限に達した際の処理について説明する。
図２のフローへ、撮影停止の判定処理を盛り込んだフローを図１１に示す。図１１内のステップＳ４、Ｓ５，Ｓ６，・・・Ｓ１１は図２と同じ内容である。
【００６３】
［時間１］による停止処理
ステップＳ５ｂにおいて、残数比較部１０４ａが「［時間１］≦０」と判定した場合（ステップＳ５ｂ：Ｎ）、すなわち電池残量が所定の終了動作を行う限度の電力量まで減った時、ステップＳ５ｃにおいて、グラフィック制御部１０４ｄは表示Ｉ／Ｆ部１０３ｃを介して、表示部１０５上に「バッテリー残量がなくなりました。バッテリーを交換してください」といった旨のメッセージを一定時間表示し、制御部１０４が動画撮影を強制停止し、外部記憶媒体１１１への動画データの書き込み処理を終える等の各種終了処理を経てデジタルスチルカメラ１００の電源を切る。「［時間１］＞０」と判定した場合（ステップＳ５ｂ：Ｙ）、ステップＳ６、ステップＳ６ｂに進む。
【００６４】
［時間２］による停止処理
ステップＳ６ｂにおいて、残数比較部１０４ａが「［時間２］≦０」と判定した場合（ステップＳ６ｂ：Ｎ）、すなわち外部記憶媒体１１１の残容量がなくなった時、ステップＳ６ｃにおいて、グラフィック制御部１０４ｄは表示Ｉ／Ｆ部１０３ｃを介して、表示部１０５上に「メモリーカードの容量がなくなりました。メモリーカードを交換してください」といった旨のメッセージを一定時間表示し、動画撮影を強制停止する。「［時間２］＞０」と判定した場合（ステップＳ６ｂ：Ｙ）、ステップＳ７、ステップＳ７ｂに進む。
【００６５】
［時間３］による停止処理
ステップＳ７ｂにおいて、残数比較部１０４ａが「［時間３］≦０」と判定した場合（ステップＳ７ｂ：Ｎ）、すなわち動画撮影時間ないしファイルサイズが、機種固有値ないし使用者による設定値に達した時、ステップＳ７ｃにおいて、グラフィック制御部１０４ｄは表示Ｉ／Ｆ部１０３ｃを介して、表示部１０５上に「ファイルサイズ（撮影時間）が規定値に達したため撮影停止します。すぐに再開できます。」といった旨のメッセージを一定時間表示し、動画撮影を強制停止する。「［時間３］＞０」と判定した場合（ステップＳ７ｂ：Ｙ）、ステップＳ８に進む。
【００６６】
［時間４］による停止処理
ステップＳ９ｂにおいて、残数比較部１０４ａが「［時間４］≦０」と判定した場合（ステップＳ９ｂ：Ｎ）、すなわち動画フォーマット規定のサイズに達した時、ステップＳ９ｃにおいて、グラフィック制御部１０４ｄは表示Ｉ／Ｆ部１０３ｃを介して、表示部１０５上に「ファイルサイズ（撮影時間）が規定値に達したため撮影停止します。すぐに再開できます。」といった旨のメッセージを一定時間表示し、動画撮影を強制停止する。「［時間４］＞０」と判定した場合（ステップＳ９ｂ：Ｙ）、ステップＳ１１、ステップＳ１１ｂに進む。
【００６７】
［時間５］による停止処理
ステップＳ１１ｂにおいて、残数比較部１０４ａが「［時間５］≦０」と判定した場合（ステップＳ１１ｂ：Ｎ）、すなわち撮像素子の温度が停止温度に達した時、ステップＳ１１ｃにおいて、グラフィック制御部１０４ｄは表示Ｉ／Ｆ部１０３ｃを介して、表示部１０５上に「カメラが高温のため撮影停止します。しばらく経ってから起動してください。」といった旨のメッセージを一定時間表示し、動画撮影を強制停止し、外部記憶媒体１１１への動画データの書き込み処理を終える等の各種終了処理を経てデジタルスチルカメラ１００の電源を切る。「［時間５］＞０」と判定した場合（ステップＳ１１ｂ：Ｙ）、図２のステップＳ１２に進む。
【００６８】
このように、（制限１）〜（制限５）それぞれの“原因”および“再開方法”を使用者に明確に伝え、再開までの手順が最も少なく済む形にデジタルスチルカメラ１００の状態を遷移させている。電池残量がなくなるならば電源をＯＦＦするしかなく、また撮像素子１０２ａの温度をもっとも効率的に冷却するためには電源をＯＦＦするべきなので電源ＯＦＦにさせているが、外部記憶媒体１１１の容量がなくなったならば予備の外部記憶媒体に交換するだけで再開できるので、また機種固有ないしユーザによる設定制限値、あるいはファイルサイズの規定値に到達しただけならば、すぐに撮影再開可能であり、撮影待機状態にしている。
【００６９】
＜静止画撮影・記録動作＞
次に、「静止画撮影可能枚数」について説明するが、その説明に先立って、映像が静止画記録されるまでの処理の流れを記載する。
【００７０】
［静止画撮影・記録の基本動作］
外部記憶媒体１１１を装着し、電源部１０９に所定の電池ないし外部電源からの電力供給がなされ、電源ボタン１１０ｂを押下することで、デジタルスチルカメラ１００は所定の起動処理を経て静止画および動画の撮影待機状態となる。
レンズ群１０１ａや絞り１０１ｂからなる光学部１０１にて処理された映像を、撮像素子１０２ａにて、制御部１０４により撮影待機ライブビュー表示用に設定されたフレームレート、および画素間引きの状態にて、光電変換およびＡＤ変換し信号処理部１０３へ映像情報を送る。映像処理部１０３ａにて撮像部１０２からの映像信号を制御部１０４により指定された各種補正の処理を施し、表示Ｉ／Ｆ部１０３ｃおよび圧縮伸張部１０３ｄへ送る。表示Ｉ／Ｆ部１０３ｃでは制御部１０４の指定によりγ補正や、グラフィック制御部１０４ｄからの指示により、アイコン等のグラフィック情報を付加され、表示部１０５に適した通信データに変換し、表示部１０５へ送る。表示部１０５にて映像が表示される。
【００７１】
「静止画画質モード」として静止画撮影時の解像度による、いくつかの画質のバリエーション、「静止画画サイズモード」として撮影する静止画の縦横ピクセル数による、いくつかのサイズのバリエーション、「静止画フォーマット」として静止画記録時のファイル形式、「静止画撮影モード」として連続撮影動作のバリエーションを、それぞれ使用者が任意に選択できる。現在の選択モードが何であるかは設定記憶部１０４ｃに格納されている。
【００７２】
後述する実施例においては、「静止画画質モード」として「ＮＯＲＭＡＬ」「ＦＩＮＥ」の２種、「静止画画サイズモード」として「Ｌ（ｌａｒｇｅ）」「Ｓ（ｓｍａｌｌ）」の２種、「静止画フォーマット」として「ＲＡＷ」「ＪＰＥＧ」「ＲＡＷ＋ＪＰＥＧ」の３種、「静止画撮影モード」として「１枚撮影」、「低速連続撮影」、「高速連続撮影」の３種の内から任意に選択可能であるとする。
【００７３】
撮像素子１０２ａが処理し映像処理部１０３ａへ渡す映像データ量は上記の４種のモードの選択によらず、静止画撮影として同状態である。撮像素子１０２ａの自己発熱量は「静止画撮影モード」が「１枚撮影」または「低速連続撮影」の時には、「撮影待機状態」からの変化は無視できるものとする。「高速連続撮影」時の撮像素子１２０ａの自己発熱量は、
「ＳＤ動画撮影時」＞「高速連続撮影」＞「撮影待機状態」
となるとする。
【００７４】
またデジタルスチルカメラ１００のシステムが管理できる静止画ファイル数は限度があり、その限度値は設定記憶部１０４ｃより読み取れる。後述の実施例においては、１０００ファイルまでとする。
【００７５】
使用者が静止画撮影を行うべく、レリーズボタン１１０ｄを押下した場合、上述一連の映像処理において、映像情報は所定の処理を経て圧縮伸張部１０３ｄに至る。圧縮伸張部１０３ｄは、映像処理部１０３ａより送られてきた画像デジタル信号を、制御部１０４指定の使用者に選択されている「静止画フォーマット」に即したファイルフォーマットへの変換を行い、外部媒体Ｉ／Ｆ１０３ｅに送る。外部媒体Ｉ／Ｆ１０３ｅでは、外部記憶媒体１１１との通信を行い、媒体の種別や通信形式、残容量情報等を入手し、制御部１０４の判定に沿って、外部記憶媒体１１１へ静止画ファイルの書き込みを行う。
【００７６】
これら信号処理部１０３内での一連の処理において、一時的に汎用メモリ１０８とのデータ受け渡しを活用し、処理を円滑かつ確実にデータ欠落の無いように進めている。高速連続撮影時においては、外部記憶媒体１１１への書き込み速度を超える速度で映像処理が行われるため、圧縮伸張部１０３ｄにて生成された静止画ファイルを複数枚分、貯め込めるだけの専用の領域を汎用メモリ１０８内に確保されている。後述の実施例においてはこの領域を１００ＭＢとする。また、撮像素子１０２ａ近傍に設置された温度センサ１０２ｂの出力により、撮像素子１０２ａの温度情報は制御部１０４にて定期的に確認されている。
【００７７】
［静止画撮影可能枚数の算出および表示の制御動作例］
続いて静止画撮影可能枚数の算出表示動作の実施例を説明する。図１２に制御フローを示す。
前述の動画撮影可能時間と、静止画撮影可能枚数のどちらを「撮影待機」状態で表示するかを、使用者が選択できるものとし、本例では静止画撮影可能枚数を、表示するとする。撮影待機中および、静止画撮影中は、警告含む静止画撮影可能枚数を表示し、動画撮影中および撮影完了後、外部記憶媒体１１１へ動画データを書き込む間のみ、警告含む動画撮影可能時間を表示する。他の例としては、両バー表示を上下に並べたり、最重要情報である静止画、動画の両最小値を並べて表示したり、一定時間毎に表示を切り替えるとしてもよい。また、本例では９１２枚の静止画を撮影し外部記憶媒体１１１に９１２の静止画ファイルが記録済みの状態とする。
【００７８】
デジタルスチルカメラ１００が「撮影待機」状態に遷移すると本制御は開始し、ステップＳ１９において制御部１０４内部の動作クロックに基づいた所定のタイミング毎に、またステップＳ２０において動作状態が「撮影待機」「静止画撮影中」であると制御部１０４が判断した場合に、以降の静止画撮影可能枚数の算出および表示を行う。
【００７９】
例えば使用者による操作によって、あるいは電池切れ等によって、「撮影待機」または「静止画撮影中」のどちらでもない状態だった場合（ステップＳ２０：Ｎ）、静止画撮影可能枚数のグラフィック表示を消し、静止画撮影可能枚数の算出および表示の制御をとめる（ステップＳ２１）。「撮影待機」または「静止画撮影中」いずれかであった場合（ステップＳ２０：Ｙ）、ステップＳ２２に進む。
【００８０】
ステップＳ２２において、残数比較部１０４ａは、設定記憶部１０４ｃから、機種固有のファイル数制限値を読み出し［ｍａｘ値］として設定する。本例では１０００ファイルとする。また［現在値］として、現在装着されている外部記憶媒体１１１内に記録されている静止画ファイル数、および撮影記録処理中の静止画数の総数を設定する。
【００８１】
残数比較部１０４ａは、予測算出部１０４ｂにより算出された以下の五つの制限観点による静止画撮影可能枚数を、［枚数１］〜［枚数５］として管理する。
【００８２】
（制限６）
ステップＳ２３において、予測算出部１０４ｂは、電源部１０９自身が持つパラメータ値、または電源部１０９の出力電圧値等から制御部１０４が算出した結果として、電池残容量情報を入手し、設定記憶部１０４ｃより読み出した静止画撮影時のカメラ全体の消費電力情報との除算を行い、結果を残数比較部１０４ａに渡し、電池残量観点での静止画撮影可能枚数［枚数６］として設定する。本例では６２枚とする。残数比較部１０４ａは（制限６）用の警告開始の閾値である［警告値６］を設定記憶部１０４ｃより読み出し、［警告値６］より［枚数６］が少なかった場合に、（制限６）を警告対象に設定する。
【００８３】
（制限７）
ステップＳ２４において、予測算出部１０４ｂは、外部媒体Ｉ／Ｆ１０３ｆを介した外部記憶媒体１１１との通信にて入手している外部記憶媒体１１１の使用可能容量を、設定記憶部１０４ｃより読み出した使用者に選択されている静止画画質モード、静止画サイズ、静止画フォーマットの値から算出した１枚あたりのファイルサイズにて除算する。結果を残数比較部１０４ａに渡し、記憶媒体容量観点での静止画撮影可能枚数［枚数７］として設定する。本例では７５枚とする。残数比較部１０４ａは（制限７）用の警告開始の閾値である［警告値７］を設定記憶部１０４ｃより読み出し、［警告値７］より［枚数７］が少なかった場合に、（制限７）を警告対象に設定する。
【００８４】
（制限８）
ステップＳ２５において、残数比較部１０４ａは、［Ｍａｘ値］から［現在値］を減算し、結果を機種の持つファイル数制限による静止画撮影可能枚数［枚数７］として設定する。本例では［ｍａｘ値］１０００枚から、［現在値］９１２枚を減算し８８枚となる。残数比較部１０４ａは（制限８）用の警告開始の閾値である［警告値８］を設定記憶部１０４ｃより読み出し、［警告値８］より［枚数８］が少なかった場合に、（制限８）を警告対象に設定する。
【００８５】
（制限９）
ステップＳ２６において、制御部１０４は設定記憶部１０４ｃから現在使用者に選択されている静止画撮影モードを読み出し、「高速連続撮影」であった場合（ステップＳ２６：Ｙ）に、ステップＳ２７において、予測算出部１０４ｂは、汎用メモリー部１０８内の外部媒体書き込み領域１００ＭＢ中の空き容量を、ステップＳ２４にて算出した１枚あたりのファイルサイズにて除算する。その結果を残数比較部１０４ａに渡し、高速連続撮影時の連続撮影可能枚数［枚数９］として設定する。
まず本例では「１枚撮影」が選択されており、「高速連続撮影」ではない場合（ステップＳ２６：Ｎ）であって、ステップＳ２８へ進む流れで記載するが、後述の「高速連続撮影時」の例では静止画撮影モード「１枚撮影」１枚あたり２．５ＭＢであるとし、［枚数９］は外部記憶媒体１１１への書き込み完了状態において４０枚の連続撮影が可能と算出される。残数比較部１０４ａは（制限９）用の警告開始の閾値である［警告値９］を設定記憶部１０４ｃより読み出し、［警告値９］より［枚数９］が少なかった場合に、（制限９）を警告対象に設定する。
【００８６】
（制限１０）
ステップＳ２９において、予測算出部１０４ｂは、温度センサ１０２ｂから撮像素子１０２ａ近傍の温度情報を入手し、その変化経緯から撮像素子１０２ａの動作停止温度に到達するまでの継続可能な連写枚数を予測算出し［枚数１０］として設定する。後述の高速連続撮影時の例では、この値を１１０枚とする。算出手法としては、単純に前回の測定温度との変化を直線近似して、動作停止温度までの到達予測時間を算出してもよい。または図３に示す温度変化量テーブルデータを設定記憶部１０４ｃ内に持った上で、撮像素子１０２ａ近傍温度の時間変化量から予測、あるいは外気温度を測定するための温度センサーを別個に持ち、外気温度と撮像素子１０２ａとの温度差から予測、といった手法が考えられる。残数比較部１０４ａは（制限１０）用の警告開始の閾値である［警告値１０］を設定記憶部１０４ｃより読み出し、［警告値１０］より［枚数１０］が短かった場合に（制限１０）を警告対象に設定する。本例では「１枚撮影」モードを選択されており、ステップＳ２６において、制御部１０４が静止画撮影モードが「高速連続撮影」では無いと判定（ステップＳ２６：Ｎ）され、ステップＳ２８において［枚数９］および［枚数１０］を「該当制限なし」とする処理を行う。後述のステップＳ３２において、表示部１０５への情報表示条件を「［表示レンジ］以下であること」としており、［枚数９］および［枚数１０］に［Ｍａｘ値］より大きな値を設定することにより、確実に［表示レンジ］より大きな値となることを利用してもよい。
【００８７】
続いて、使用者に対して静止画撮影可能枚数の表示部１０５への表示例である図１３の表示プロセスについて説明する。図１３の画面下部のグラフィックエリア１０００、実質残枚数表示エリア１００１、［表示レンジ］表示エリア１００３等における情報表示が、静止画撮影可能枚数の情報表示に関する、本開示の技術による特徴的な部分である。
【００８８】
図１２のステップＳ３０において、グラフィック制御部１０４ｄは、残数比較部１０４ａによって選択された［枚数６］〜［枚数１０］の最小枚数を受け取り、表示Ｉ／Ｆ部１０３ｃを介し、表示部１０５上、図１３の実質残枚数表示エリア１００１に示すように、映像情報に重ねて枚数を表示する。本例では最小枚数の［枚数６］６２枚が相当する。
【００８９】
ステップＳ３１において、残数比較部１０４ａは［表示レンジ］として、［枚数６］〜［枚数１０］の最小枚数が、設定記憶部１０４ｃに用意された表示枚数のレンジ設定の、どの範囲にあるか判断し、該当レンジの上限値を設定する。グラフィック制御部１０４ｄは表示Ｉ／Ｆ部１０３ｃを介し、表示部１０５上、図１３の［表示レンジ］表示エリア１００３のように表示する。本例では５０〜１００というレンジの上限値である１００とする。なお、レンジの変化点をまたいで残数が増減する場合、表示レンジの頻繁な切り替わりによる視認性の悪化を防ぐためにヒステリシス設定を設けてもよい。また、本例のように自動でレンジ変化するほか、使用者が［表示レンジ］としていくつかの値の内から選択できるとしてもよい。
【００９０】
ステップＳ３２において、グラフィック制御部１０４ｄは、残数比較部１０４ａにより［枚数６］〜［枚数１０］のうち「［表示レンジ］以下である」と判断されたものについて、表示Ｉ／Ｆ部１０３ｃを介し、表示部１０５上、図１３の残枚数バー１００２該当エリアの左端を０枚、右端を［表示レンジ］値とした相対位置へ、各制限条件を表すアイコンを表示する。図１３の例では、左側から順に、［枚数６］アイコン１００４，［枚数７］アイコン１００５，および［枚数８］アイコン１００６が配置されるように表示している。
【００９１】
各アイコンはその視認性を考慮し、数値上は重なりあう配置関係であったとしても、より小枚数を示す左側アイコンを基準とし、重ならないように順に右にずらして表示する。最小枚数を表すアイコンは、他アイコンよりも一回り大きく表示したり、アイコン周囲を枠で囲んだり、色を変えるなどで強調してもよい。
【００９２】
ステップＳ３３において、グラフィック制御部１０４ｄは、左端から最少枚数のアイコンまでを［第１エリア］とし、表示Ｉ／Ｆ部１０３ｃを介して、表示部１０５上、［第１エリア］１００７（図１３参照）のように視認しやすい色にてアクセントをつけバー表示する。例えば左端から［枚数６］までの領域を濃い青色のバーで表示する（図１３の例では黒色のバー表示としている）。このエリアが、現時点で予測される実質の静止画撮影可能枚数となり、使用者がバー内で最も注視すべきエリアである。
【００９３】
ステップＳ３４において、グラフィック制御部１０４ｄは［第１エリア］に続く領域を［第２エリア］として、最少枚数のアイコンを基点とし、［枚数８］のアイコンまでを、表示Ｉ／Ｆ部１０３ｃを介して、表示部１０５上、［第２エリア］１００８（図１３参照）のように、例えばモノクロではない淡い色にてバー表示する（ただし図１３の例では濃い網点模様のバー表示としている）。該当エリアのアイコンはバー上に上書きする。例えば［枚数６］のアイコン１００４から［枚数７］のアイコン１００５を経て［枚数８］のアイコン１００６までの領域を、スカイブルーのバーで表示する。
【００９４】
ステップＳ３５において、グラフィック制御部１０４ｄは［枚数８］以降、右端までの領域を［第３エリア］とし、表示Ｉ／Ｆ部１０３ｃを介して、表示部１０５上、図１３の［第３エリア］１００９のように、グレーのバーにて表示する。該当エリアのアイコンはバー上に上書きする。本例では高速連続撮影モードでないため［枚数９］、［枚数１０］は存在せず、また［枚数６］、［枚数７］は［枚数８］以下のため、［第３エリア］内にはアイコンは存在しない。
【００９５】
ステップＳ３６において残数比較部１０４ａは、設定記憶部１０４ｃより（制限６）〜（制限１０）のうち警告対象になっているものをピックアップし、グラフィック制御部１０４ｄへ伝える。
グラフィック制御部１０４ｄは図１４（Ｄ）に示すように、一定時間毎に、表示Ｉ／Ｆ部１０３ｃを介して、表示部１０５上、図１３の［残枚数バー］１００２の部位の表示を、［残枚数バー］および警告対象の［警告文］を切り替えて表示する。同一エリアに表示することにより撮影中画像への干渉を最小限にとどめたまま、表示が切り替わることで強調されるため、使用者に対して効果的に注意を促す表示としている。図１４（Ｄ）では（制限６）〜（制限１０）の順で、一定時間で切り替えとしているが、各制限の残り枚数によって重みをつけて表示する順番や時間を調整してもよい。
【００９６】
［残枚数バーの経時変化例］
続いて、残枚数バーの経時変化例について説明する。
前述のとおり、図１２に示すフローによる一連の動画撮影可能時間の表示は、ステップＳ２０において、制御部１０４が「撮影待機状態」ないし「静止画撮影中」であると判断している限り、ステップＳ１９に於ける、内部の動作クロックに基づいた所定のタイミング毎に更新される。
図１４（Ａ）〜（Ｄ）では、ここまで説明してきた「総撮影枚数９１２枚」（図１４（Ａ））および、「追加２０枚撮影」（図１４（Ｂ））、「さらに２０枚撮影」（図１４（Ｃ）、図１４（Ｄ））、それぞれの残枚数バーの変化の一例を示している。以下に「追加２０枚撮影」（図１４（Ｂ））、「さらに２０枚撮影」（図１４（Ｃ））時点での［枚数６］〜［枚数１０］の状態を説明する。
【００９７】
「追加２０枚撮影」（図１４（Ｂ））
［枚数６］電池残量は９１２枚時点から算出誤差により１枚ずれている。結果４１枚となった。
［枚数７］想定よりも大きいファイルサイズで撮影が進み１枚ずれている。結果５４枚となった。
［枚数８］機械的なカウントダウン。−２０され、６８枚となる。
［枚数９］高速連続撮影モードでは無いため、計算および表示を行わない。
［枚数１０］高速連続撮影モードでは無いため、計算および表示を行わない。
※［表示レンジ］は図１２のステップ３１において、最少枚数が０〜５０枚の範囲となっており、区間最大値の５０に設定された表示となっている。
【００９８】
「さらに２０枚撮影」（図１４（Ｃ））
［枚数６］電池残量の計算誤差なく順著に−２０枚の変化。結果２１枚となった。
［枚数７］ファイルサイズは想定どおりに進み−２０枚の変化。結果３４枚となった。
［枚数８］機械的なカウントダウン。−２０され、４８枚となる。
［枚数９］高速連続撮影モードでは無いため、計算および表示を行わない。
［枚数１０］高速連続撮影モードでは無いため、計算および表示を行わない。
また、残数比較部１０４ａは［枚数６］が［警告値６］を、［枚数７］が［警告値７］をそれぞれ下回ったと判断し、図１２のステップ３６において、グラフィック制御部１０４ｄへ伝える。グラフィック制御部１０４ｄは、表示Ｉ／Ｆ部１０３ｃを介して、表示部１０５上、図１３の［残枚数バー］１００２の部位の表示を、残枚数バーと、警告文とが一定時間毎に［残枚数バー］→「（制限６）警告文」→「（制限７）警告文」の順に表示されるよう制御する。
【００９９】
［静止画高速連続撮影モードでの表示例］
続いて、静止画撮影モードを「高速連続撮影」に設定した際の処理について説明する。  図１５（Ａ）〜（Ｄ）に、高速連続撮影時の残枚数バーの変化を示す。前述実施例同様に総撮影枚数９１２枚からの連続撮影として記載する。
【０１００】
使用者はモードダイヤル１１０ｅを操作し静止画撮影モードを「高速連続撮影」に設定すると、図１２のステップＳ２６において、［枚数９］および［枚数１０］を算出することになり、ステップＳ２７にて［枚数９］４０枚、ステップＳ２９にて［枚数１０］１１０枚が予測算出部１０４ｂにより算出され、残数比較部１０４ａにて［枚数９］、［枚数１０］に設定される。ステップＳ３０において最少値に［枚数９］の４０が選択および表示され、Ｓ３１において表示レンジは５０が選択される。その結果、ステップＳ３３，３４，３５を経て図１５（Ａ）のように表示される。
【０１０１】
この状態からレリーズボタン１１０ｄを３秒間押下し続け、秒間１０コマの合計３０枚の撮影を行うと、図１５（Ｂ）のように、３秒の間に、［枚数９］のアイコンが左方向へ流れるように連続的に表示更新される。また同時に押下前には表示外だった［枚数６］、［枚数７］のアイコンが、ステップＳ３２において表示条件である［表示レンジ］以下
となるタイミングから、右端から流れるように表示される。
【０１０２】
レリーズボタン１１０ｄを離すと連続撮影は止まり、汎用メモリ部１０８に貯まっている静止画ファイルデータが順次、外部媒体Ｉ／Ｆ部１０３ｅを介して外部記憶媒体１１１へ書き込まれていき、ステップＳ２７において［枚数９］算出結果は４０枚まで増加し、その様子が図１５（Ｃ）のように［枚数９］アイコンが左から右へ流れるように表示更新される。
【０１０３】
外部記憶媒体１１１への書き込み完了すると、図１５（Ｄ）のように、電池残量による制限［枚数６］と、連続撮影可能枚数［枚数９］が入れ替わる結果となる。
【０１０４】
この高速連続撮影時においては、［枚数９］アイコンの左右の動きにて、たとえば外部記憶媒体１１１への書き込み処理中において「今、連続撮影を開始したらどれくらい撮影できそうか」といった情報が感覚的に掴みやすく、スポーツ等動きの激しい撮影シーンにおいて、断続的に連続撮影を行う際の利便性が向上する。
【０１０５】
［効果］
以上説明したように、本実施の形態に係るデジタルスチルカメラ１００によれば、複数の要因による動作可能状態の把握を容易に行うことができる。デジタルスチルカメラ１００において動画撮影可能時間および静止画撮影可能枚数を制約する複数の要因について、現状からどれくらい撮影可能であるかを、一元的かつ視覚的に表示することで、使用者に撮影に対するデジタルスチルカメラ１００の状態を瞬時に判断させることが可能となる。また各制約の情報を、分散せずに一箇所にまとめて表示を行うことにより、被写体画像への干渉を最小限に押さえており、使用者は撮影中であっても映像の確認を阻害することなく同一表示画面内でのわずかな視点の動きで、これら情報を確認することが可能になる。同時に要因を明示することで、停止した後に「即、撮影再開できる」のか「予備電池、メディア交換が必要」なのか「冷却のケアが必要」なのか、といった一歩進んだ撮影プランを、使用者がまさに撮影している最中であっても瞬時的に練ることが可能になる。
【０１０６】
また、実際に動画撮影の強制終了や、静止画撮影を受け付けない状態に至った際には、メッセージを表示することで使用者に停止理由を明確に伝え、誤操作や故障だと勘違いしたり、なぜ撮影が止まってしまったのかと混乱を招かないよう配慮されている。これら情報の伝達により、ユーザは、例えば運動会、結婚式、レジャー等の撮影において、予定していた肝心のシーンの撮り逃しを、事前に回避するプランをフレキシブルに考慮することが可能になり、残したいシーンを確実に記録できるようになる。
【０１０７】
＜その他の実施の形態＞
本開示による技術は、上記実施の形態の説明に限定されず種々の変形実施が可能である。
【０１０８】
例えば、図４等の例では、複数の制限要因によるそれぞれの動画撮影可能時間の情報表示を一元的に行うようにしたが、例えば図１６および図１７に示した表示例のように一元的ではない表示を行うことも可能である。図１６の表示例では、画面左下の所定の表示領域１６０内において、上側から順に、［時間１］アイコン４１５と、［時間２］アイコン４１４と、［時間３］アイコン４０８と、［時間４］アイコン４０７と、［時間５］アイコン４０６とを全て同時に並列的に表示している。また、表示領域１６０内において、各アイコンの横の残時間表示エリア１６１には、各制限要因による動画撮影可能時間（残時間）を数値で表示している。図１６の表示例では、撮像画像への干渉を最小限に、バー表示ではなく時間数値のみの表示としている。図１６の表示を行う場合、例えば、最初の表示時のみ残時間順に各要因の表示をソートし、表示更新中の各要因の表示の入れ替えは行わない。残時間がスレッシュ以下になったらば、残時間の右に警告文または対処指示文の表示を行う。またはアイコンを点滅して警告しても良い。また、表示開始のスレッシュ時間を設けてもよい。この場合、スレッシュ付近のちらつきを防ぐため、例えば、一度表示されたらスレッシュが＋３分増以内では表示持続する。
【０１０９】
図１７の表示例では、画面左下の所定の表示領域１７０内において、図１６の表示例と同様に、［時間１］〜［時間５］のアイコンを同時に並列的に表示している。また、表示領域１７０内において、各アイコンの横には、各制限要因による動画撮影可能時間（残時間）を残時間バー１７１でバー表示している。図１７の表示を行う場合、例えば、映像干渉を抑えるため、残時間表示は最小時間のみとする（実質残時間表示エリア１７２）。また、残時間がスレッシュ以下になったらば、バー表示から警告文または対処指示文の表示に変える。またはアイコンを点滅して警告しても良い。また、表示開始のスレッシュ時間を設けてもよい。この場合、スレッシュ付近のちらつきを防ぐため、一度表示されたらスレッシュ＋３分増以内は表示持続する。
【０１１０】
また、例えば図２に示した制御動作では、動画撮影可能時間の算出を［時間１］、［時間２］、［時間３］、［時間４］、［時間５］の順に算出するようにしているが、算出の順番はこれに限らず、任意の順番で良い。図１２に示した制御動作における静止画撮影可能枚数の算出についても、［枚数１］〜［枚数５］の算出の順番は任意の順番で良い。
【０１１１】
また、ここまでは電子機器の一例として、デジタルスチルカメラ１００における表示例を挙げて説明したが、本開示による技術は、デジタルスチルカメラ１００に限らず、各種の電子機器に適用可能である。特に、表示部を備え、複数の制限要因のそれぞれによって所定の機能の動作可能量が制約を受ける撮像機能を有する電子機器に適用可能である。例えば、カメラ部を備えた携帯端末機器やパーソナルコンピュータ等にも適用可能である。また、撮像機能を有しない電子機器にも適用可能である。また、「動作可能量」として、動画撮影可能時間および静止画撮影可能枚数の例を挙げたが、これら以外の動作可能量に関する情報表示を行うようにしても良い。
【０１１２】
また例えば、本技術は以下のような構成を取ることができる。
（１）
複数の制限要因によって所定の機能の動作可能量が制約を受ける電子機器の、前記動作可能量を表す表示を表示部に表示させるものであり、
前記動作可能量の情報を取得する取得部と、
前記複数の制限要因のそれぞれに応じた前記動作可能量を表す表示を、それぞれ同一の表現方法で前記表示部に表示させる表示制御部と
を備えた情報処理装置。
（２）
前記表示制御部は、前記複数の制限要因のそれぞれによる前記動作可能量の情報を、前記表示部の所定の領域内に同時に表示させる
上記（１）に記載の情報処理装置。
（３）
前記表示制御部は、前記所定の領域内で前記複数の制限要因のそれぞれによる前記動作可能量の情報を一元的に表示させる
上記（２）に記載の情報処理装置。
（４）
前記表示制御部は、
それぞれ制限要因の異なる複数の前記動作可能量のうち第１の動作可能量に応じて、前記第１の動作可能量に基づく第１の表示を、前記表示部の表示領域の所定の位置と前記第１の表示との距離が変化するように表示させ、
複数の前記動作可能量のうち第２の動作可能量に応じて、前記第２の動作可能量に基づく前記第２の表示を、前記所定の位置と前記第２の表示との距離が変化するように表示させる
上記（３）に記載の情報処理装置。
（５）
前記表示制御部は、前記第１の表示と前記第２の表示とを、同一の前記所定の位置を通る軸の上で変化させる
上記（４）に記載の情報処理装置。
（６）
前記表示制御部は、前記第１の表示と前記第２の表示との距離が所定の範囲にある場合、前記第１の表示または前記第２の表示の少なくとも一方の表示態様を変化させる
上記（５）に記載の情報処理装置。
（７）
前記表示制御部は、前記第１の表示と前記第２の表示との距離が所定の範囲にある場合、前記第１の表示または前記第２の表示の少なくとも一方の表示を前記軸から外れた位置に表示させる
上記（５）に記載の情報処理装置。
（８）
前記表示制御部は、前記複数の制限要因のそれぞれによる前記動作可能量のうち、最小となる制限要因に関する情報を強調して表示させる
上記（１）ないし（７）のいずれか１つに記載の情報処理装置。
（９）
前記電子機器において、前記動作可能量は、前記複数の制限要因のそれぞれについて所定の閾値が設定されるものであり、
前記表示制御部は、前記複数の制限要因のそれぞれによる前記動作可能量の少なくとも１つが所定の閾値を下回った場合に、前記電子機器において前記所定の機能による動作が不可能になることを知らせる警告、または前記所定の機能による動作が不可能になることを回避するための対処法の少なくとも一方の情報表示を行わせる
上記（１）ないし（８）のいずれか１つに記載の情報処理装置。
（１０）
前記表示制御部は、前記警告または対処法の情報表示と前記動作可能量の情報表示とを同一の領域内で交互に行わせる
上記（９）に記載の情報処理装置。
（１１）
前記表示制御部は、前記警告または対処法の情報表示を、前記動作可能量の情報表示とは別の領域に表示させる
上記（９）に記載の情報処理装置。
（１２）
前記表示制御部は、前記複数の制限要因のうち少なくとも１つの制限要因によって前記電子機器において前記所定の機能による動作が停止した場合に、その動作が停止した理由、およびその動作を再開させるための対処法の情報表示を行わせる
上記（１）ないし（１１）のいずれか１つに記載の情報処理装置。
（１３）
前記電子機器は撮影機能を有するものであり、
前記動作可能量は、前記電子機器における撮影機能に関する動作可能量である
上記（１）ないし（１２）のいずれか１つに記載の情報処理装置。
（１４）
前記電子機器は動画撮影機能を有するものであり、
前記動作可能量は前記電子機器における動画撮影可能時間である
上記（１３）に記載の情報処理装置。
（１５）
前記電子機器は静止画撮影機能を有するものであり、
前記動作可能量は前記電子機器における静止画撮影可能枚数である
上記（１３）に記載の情報処理装置。
【符号の説明】
【０１１３】
１１…取得部、１２…表示制御部、１３…表示部、１００…デジタルスチルカメラ、１０１…光学部１０１、１０１ａ…レンズ群、１０１ｂ…絞り、１０２…撮像部、１０２ａ…撮像素子、１０２ｂ…温度センサ、１０３…信号処理部、１０３ａ…映像処理部、１０３ｂ…音声処理部、１０３ｃ…表示Ｉ／Ｆ部、１０３ｄ…圧縮伸張部、１０３ｅ…外部媒体Ｉ／Ｆ、１０４…制御部、１０４ａ…残数比較部、１０４ｂ…予測算出部、１０４ｃ…設定記憶部、１０４ｄ…グラフィック制御部、１０５…表示部、１０６…スピーカ、１０７…マイク、１０８…汎用メモリ、１０９…電源部、１１０…操作スイッチ部、１１０ａ…録画ボタン、１１０ｂ…電源ボタン、１１０ｃ…再生ボタン、１１０ｄ…レリーズボタン、１１０ｅ…モードダイヤル、１１１…外部記憶媒体、１１２…データバス、４００…グラフィックエリア４００、４０１…実質残時間表示エリア、４０２…残時間バー、４０３…［ｍａｘ値］表示エリア、４０４…既存表記群、４０５…［現在値］表示エリア、４０６…［時間５］アイコン、４０７…［時間４］アイコン、４０８…［時間３］アイコン、４１２…記憶媒体残容量アイコン、４１３…電池残容量アイコン、４１４…［時間２］アイコン、４１５…［時間１］アイコン、７０１…警告文。
【図１】
0005494570.tif 000002
【図２】
0005494570.tif 000003
【図３】
0005494570.tif 000004
【図４】
0005494570.tif 000005
【図５】
0005494570.tif 000006
【図６】
0005494570.tif 000007
【図７】
0005494570.tif 000008
【図８】
0005494570.tif 000009
【図９】
0005494570.tif 000010
【図１０】
0005494570.tif 000011
【図１１】
0005494570.tif 000012
【図１２】
0005494570.tif 000013
【図１３】
0005494570.tif 000014
【図１４】
0005494570.tif 000015
【図１５】
0005494570.tif 000016
【図１６】
0005494570.tif 000017
【図１７】
0005494570.tif 000018
【図１８】
0005494570.tif 000019